(57)【要約】【課題】短縮状態及び伸長状態に保持した状態を簡単に解除できかつ構造が簡単で短縮時のコンパクト性を損なうことのない伸縮式スプーンを提供することを課題としている。【解決手段】基礎軸部４の先端部の外周面には短縮状態において筒状軸部５の先端部の内面に対応する位置に短縮維持ストッパ部４ａが設けられ、筒状軸部５の先端部の内周面には短縮維持ストッパ部４ａに係止して筒状軸部５を短縮状態に保持する係止部５ａが設けられ、基礎軸部４の基端部の外周面には伸長状態において筒状軸部５の係止部５ａが係止することで筒状軸部５を伸長状態に保持する伸長維持ストッパ部４ｂが設けられていることを特徴とする構成になっている。【選択図】図１
2018099158.tif 000002
【特許請求の範囲】
【請求項１】
凹状の皿部に設けた柄部を伸縮可能に構成した伸縮式スプーンであって、
前記柄部は、前記皿部に一体的に形成された基礎軸部と、この基礎軸部の外周面に嵌合する筒状軸部とを備えており、
前記基礎軸部の外周面及び前記筒状軸部の内周面の少なくとも一方には、周方向に間隔をおいた複数の位置に、当該基礎軸部の外周面と当該筒状軸部の内周面との間に所定の間隔を保持する突起部が設けられており、
前記各突起部は、前記筒状軸部が前記皿部側に移動した状態である短縮状態において、
前記基礎軸部及び筒状軸部における前記皿部側の端部である先端部及び前記皿部とは反対側の端部である基端部を除く部位に配置されており、
前記基礎軸部の前記先端部の外周面には、前記短縮状態において、前記筒状軸部の前記先端部の内面に対応する位置に短縮維持ストッパ部が設けられ、前記筒状軸部の先端部の内周面には、前記短縮維持ストッパ部に係止して、当該筒状軸部を前記短縮状態に保持する係止部が設けられており、
前記基礎軸部の前記基端部の外周面には、前記筒状軸部が前記皿部から所定量離れた側に移動した状態である伸長状態において、当該筒状軸部の前記係止部が係止されることで、当該筒状軸部を前記伸長状態に保持する伸長維持ストッパ部が設けられていることを特徴とする伸縮式スプーン。
【請求項２】
前記基礎軸部は、中実状の棒状又は中空状の筒状に形成されていることを特徴とする請求項１に記載の伸縮式スプーン。
【請求項３】
前記基礎軸部及び筒状軸部は、断面が円形状、楕円形状、長円形状又は多角形状に形成されていることを特徴とする請求項１又は２に記載の伸縮式スプーン。
【請求項４】
前記皿部、基礎軸部及び筒状軸部は、プラスチックで形成されていることを特徴とする請求項１〜３の何れかに記載の伸縮式スプーン。
【発明の詳細な説明】
【技術分野】
【０００１】
本発明は、アイスクリームやヨーグルト等の粘稠性材料を収容する使い捨て容器にコンパクトに短縮した状態で付属させることが可能な伸縮式スプーンに関する。
【背景技術】
【０００２】
伸縮式スプーンとしては、例えば柄の部分を単に伸縮自在に構成したものが知られている（例えば、特許文献１、２）。
【０００３】
しかし、上記伸縮式スプーンにおいては、深底の容器内から粉末状のコーヒー等を単にすくい出す際に用いるものであり、短縮した状態や伸長した状態に確実に保持する構造のものではない。
【０００４】
このため、アイスクリーム等の容器にコンパクトなものとして付属させることが可能であったとしても、短縮した状態や伸長した状態に確実に保持することができず、例えばヨーグルトのような比較的柔らかなものをすくうときでも柄の長さが定まらず、使いにくいという問題がある。
【０００５】
一方、短縮した状態や伸長した状態に確実に保持する機構を付加した場合には、その機構により伸縮式スプーンが複雑な構造のものとなり、短縮時のコンパクト性も失われてしまうという問題がある。
【先行技術文献】
【特許文献】
【０００６】
【特許文献１】特開２００７-１８１６２０号公報
【特許文献２】実開昭５８-６１０７８号公報
【発明の概要】
【発明が解決しようとする課題】
【０００７】
本発明は、上記事情に鑑みてなされたものであり、柄の部分について短縮した状態及び伸長した状態に確実に保持することができると共に、その保持した状態を簡単に解除することができ、かつ構造が簡単で短縮時のコンパクト性を損なうことのない伸縮式スプーンを提供することを課題としている。
【課題を解決するための手段】
【０００８】
上記課題を解決するために、請求項１に記載の発明は、凹状の皿部に設けた柄部を伸縮可能に構成した伸縮式スプーンであって、前記柄部は、前記皿部に一体的に形成された基礎軸部と、この基礎軸部の外周面に嵌合する筒状軸部とを備えており、前記基礎軸部の外周面及び前記筒状軸部の内周面の少なくとも一方には、周方向に間隔をおいた複数の位置に、当該基礎軸部の外周面と当該筒状軸部の内周面との間に所定の間隔を保持する突起部が設けられており、前記各突起部は、前記筒状軸部が前記皿部側に移動した状態である短縮状態において、前記基礎軸部及び筒状軸部における前記皿部側の端部である先端部及び前記皿部とは反対側の端部である基端部を除く部位に配置されており、前記基礎軸部の前記先端部の外周面には、前記短縮状態において、前記筒状軸部の前記先端部の内面に対応する位置に短縮維持ストッパ部が設けられ、前記筒状軸部の先端部の内周面には、前記短縮維持ストッパ部に係止して、当該筒状軸部を前記短縮状態に保持する係止部が設けられており、前記基礎軸部の前記基端部の外周面には、前記筒状軸部が前記皿部から所定量離れた側に移動した状態である伸長状態において、当該筒状軸部の前記係止部が係止されることで、当該筒状軸部を前記伸長状態に保持する伸長維持ストッパ部が設けられていることを特徴としている。
【０００９】
請求項２に記載の発明は、請求項１に記載の発明において、前記基礎軸部は、中実状の棒状又は中空状の筒状に形成されていることを特徴としている。
【００１０】
請求項３に記載の発明は、請求項１又は２に記載の発明において、前記基礎軸部及び筒状軸部は、断面が円形状、楕円形状、長円形状又は多角形状に形成されていることを特徴としている。
【００１１】
請求項４に記載の発明は、請求項１〜３の何れかに記載の発明において、前記皿部、基礎軸部及び筒状軸部は、プラスチックで形成されていることを特徴としている。
【発明の効果】
【００１２】
請求項１に記載の発明によれば、基礎軸部の先端部に設けた短縮維持ストッパ部に筒状軸部の係止部を係止させることにより、柄部を短縮状態に確実に維持することができる。また、基礎軸部の基端部に設けた伸長維持ストッパ部に筒状軸部の係止部を係止させることにより、柄部を伸長状態に確実に維持することができる。
【００１３】
一方、突起部によって、基礎軸部の外周面と筒状軸部の内周面との間に所定の間隔を保持した状態にすることができるので、例えば筒状軸部の外周面における周方向に１８０°間隔をおいた部位を互いに近づける方向に指で押圧することにより、当該筒状軸部における押圧部分の径方向の寸法を狭める方向に変位させることができると共に、押圧部分に対して周方向の一方及び他方の側に９０°離れた各部分の径方向の寸法を拡大する方向に変位させることができる。この場合、筒状軸部における押圧部分の内周面が基礎軸部の外周面に達するまでは、当該筒状軸部のみに弾性変位を生じさせることができる。
【００１４】
従って、筒状軸部における係止部に対して周方向の一方及び他方の側に９０°離れた各部分を指で押すだけで、当該係止部を短縮維持ストッパ部又は伸長維持ストッパ部から離れる方向に変位させることができる。これにより、短縮状態及び伸長状態を簡単に解除することができる。
【００１５】
そして、短縮状態及び伸長状態の維持及び解除が突起部、短縮維持ストッパ部、伸長維持ストッパ部及び係止部によって可能になるので、構造が複雑になることがなく、かつ短縮状態においてコンパクト性が損なわれることもない。しかも、低価格なものを提供することができるという利点がある。
【００１６】
また、突起部によって基礎軸部の外周面と筒状軸部の内周面との間に所定の隙間が生じることになるので、基礎軸部と筒状軸部との接触面積の低減を図ることができ、基礎軸部に対する筒状軸部の伸縮移動をスムーズに行うことができるという利点もある。
【００１７】
請求項２に記載の発明によれば、基礎軸部が中実状の棒状に形成されている場合には、皿部と一体的に形成された基礎軸部を例えばプラスチックにより容易に成形することができる。また、基礎軸部が中空状の筒状に形成されている場合には強度の低下を抑えながら軽量化を図ることができるという利点がある。
【００１８】
請求項３に記載の発明によれば、基礎軸部及び筒状軸部の断面が円形状に形成されている場合には径の４乗に比例する断面二次モーメントを得ることができるので、種々の方向の曲げモーメントに対して曲げ剛性の高い柄部を得ることができる。また、基礎軸部及び筒状軸部の断面が楕円形状又は長円形状に形成されている場合には、柄部を皿部に沿うような薄い形状のコンパクトなものに構成することができる。更に、三角形状や四角形状の多角形状に形成した場合もコンパクトなものにすることができる。また、五角形状以上の多角形状に形成した場合は、断面が円に近い形状になるので、柄部について曲げ剛性の高いものを提供することができる。
【００１９】
請求項４に記載の発明によれば、皿部、基礎軸部及び筒状軸部がプラスチックで形成されているので、所定の強度を有し、かつ低価格なものを大量に提供することができる。また、筒状軸部の弾性変形代を大きくとることが可能になるので、短縮状態及び伸長状態の維持及び解除をより確実に行うことができる。
【図面の簡単な説明】
【００２０】
【図１】本発明の一実施形態として示した伸縮式スプーンの図であって、（ａ）は短縮状態を示す正面図であり、（ｂ）は伸長状態を示す正面図である。
【図２】同伸縮式スプーンを示す図であって、（ａ）は短縮状態における要部断面図であり、（ｂ）は（ａ）のＢ−Ｂ線に沿う断面図であり、（ｃ）は（ａ）のＣ−Ｃ線に沿う断面図であり、（ｄ）は（ａ）のＤ−Ｄ線に沿う断面図であり、（ｅ）は伸長状態における要部断面図であり、（ｆ）は（ｅ）のＦ−Ｆ線に沿う断面図である。
【図３】同伸縮式スプーンの作用を示す説明図であって、図２（ａ）のＢ−Ｂ線に沿う位置に対応する位置の拡大断面図による説明図である。
【図４】同伸縮式スプーンにおける柄部の他の例として示した楕円断面形状のもの図であって、（ａ）は図２（ａ）のＢ−Ｂ線に沿う位置に対応する位置の拡大断面図であり、（ｂ）は図２（ａ）のＣ−Ｃ線に沿う位置に対応する位置の拡大断面図であり、（ｃ）は作用を示す図２（ａ）のＢ−Ｂ線に沿う位置に対応する位置の拡大断面図による説明図である。
【図５】同伸縮式スプーンにおける柄部の更に他の例として示した長四角形断面形状のものを示す図であって、（ａ）は図２（ａ）のＢ−Ｂ線に沿う位置に対応する位置の拡大断面図であり、（ｂ）は図２（ａ）のＣ−Ｃ線に沿う位置に対応する位置の拡大断面図であり、（ｃ）は作用を示す図２（ａ）のＢ−Ｂ線に沿う位置に対応する位置の拡大断面図による説明図である。
【発明を実施するための形態】
【００２１】
本発明の一実施形態として示した伸縮式スプーンについて図面を参照しながら詳細に説明する。
【００２２】
この実施形態で示す伸縮式スプーン１は、図１〜図３に示すように、凹状の皿部２に設けた柄部３を伸縮可能に構成したものである。即ち、柄部３は、皿部２に一体的に形成された基礎軸部４と、この基礎軸部４の外周面に嵌合する筒状軸部５とを備えている。
【００２３】
基礎軸部４及び筒状軸部５は、断面が円形の筒状の形成されたものとなっている。筒状軸部５の内周面には、周方向に９０°の間隔をおいた４か所の位置に、基礎軸部４の外周面との間に所定の間隔を確保するための突起部５１が設けられている。各突起部５１は、筒状軸部５における皿部２側の端部である先端部と、皿部２とは反対側の端部である基端部とを除く部分に、当該筒状軸部５の軸方向に連続して延在するように形成されている。
【００２４】
基礎軸部４における皿部２側の端部である先端部の外周面には、筒状軸部５が皿部２側に最も移動した状態である短縮状態において、筒状軸部５の先端部の内面に対応する位置に、短縮維持ストッパ部４ａが設けられている。一方、筒状軸部５の先端部の内周面には、短縮状態において、短縮維持ストッパ部４ａに係止して、当該筒状軸部５を短縮状態に保持する係止部５ａが設けられている。
【００２５】
また、基礎軸部４における皿部２と反対側の端部である基端部の外周面には、筒状軸部５が皿部２から最も離れた側（皿部２から所定量離れた側）に移動した状態である伸長状態において、筒状軸部５の係止部５ａが係止されることで、筒状軸部５を伸長状態に保持する伸長維持ストッパ部４ｂが設けられている。
【００２６】
なお、基礎軸部４の先端部及び基端部と、筒状軸部５の先端部及び基端部とは、短縮状態において、軸方向の同一部位に位置するようになっている。
【００２７】
更に、筒状軸部５の基端部の内周面には、短縮状態において、伸長維持ストッパ部４ｂに係止する補助係止部５ｂが設けられている。なお、筒状軸部５は、補助係止部５ｂを備えたものでなくてもよい。
【００２８】
短縮維持ストッパ部４ａ及び伸長維持ストッパ部４ｂは、基礎軸部４の外周面から凹状に形成されたものであり、基礎軸部４の軸方向に直交する方向に延在する断面Ｖ字状の溝状のもので形成されている。これらの短縮維持ストッパ部４ａ及び伸長維持ストッパ部４ｂについては、基礎軸部４における周方向に１８０°間隔をおいた２か所の位置であって、図２（ａ）に示すように、皿部２を正面視した状態において、幅方向の両側に位置するように配置されている。なお、短縮維持ストッパ部４ａ及び伸長維持ストッパ部４ｂは、皿部２の正面側とその裏面側等の周方向に１８０°離れた位置に配置されていてもよい。
【００２９】
係止部５ａ及び補助係止部５ｂは、筒状軸部５の内周面から突出するように形成されたＶ字状の凸状の断面形状を有し、短縮維持ストッパ部４ａ及び伸長維持ストッパ部４ｂのそれぞれに嵌り込むように、筒状軸部５の軸方向に直交する方向に延在する凸条状のもので形成されている。これらの係止部５ａ及び補助係止部５ｂは、筒状軸部５における周方向に１８０°間隔をおいた各位置であって、この例では周方向に１８０°間隔をおいて設けられた各突起部５１に対応する位置に配置されている。なお、係止部５ａ及び補助係止部５ｂについては、周方向に９０°の間隔をおいて隣接する突起部５１の間の中央部に配置してもよい。
【００３０】
また、皿部２、基礎軸部４及び筒状軸部５は、ポリプロピレン、ポリエチレン、ポリスチレン等のプラスチックによって形成されている。
【００３１】
なお、基礎軸部４及び筒状軸部５については、図面を用いて説明するため、極端に大きな径のものを示しているが、実際の径は筒状軸部５の外径で５〜７ｍｍ、好ましくは６ｍｍ程度のものである。この程度の径のものでも、例えばアイスクリームをすくい取る上で十分な強度を有している。
【００３２】
上記のように構成された伸縮式スプーン１においては、基礎軸部４における短縮維持ストッパ部４ａに筒状軸部５の係止部５ａを係止させることにより、柄部３を短縮状態に確実に維持することができる。この場合、筒状軸部５の補助係止部５ｂが基礎軸部４の伸長維持ストッパ部４ｂに係止することになり、これによっても、柄部３を短縮状態に維持することができる。また、基礎軸部４における伸長維持ストッパ部４ｂに筒状軸部５の係止部５ａを係止させることにより、柄部３を伸長状態に確実に維持することができる。
【００３３】
一方、突起部５１によって、基礎軸部４の外周面と筒状軸部５の内周面との間に所定の間隔を保持した状態にすることができるので、図３に示すように、筒状軸部５の外周面における周方向に１８０°間隔をおいた部位を互いに近づける方向に指でつまむようにして所定の押圧力Ｆを作用させることにより、当該筒状軸部５における押圧部分５ｃ、５ｃの径方向の寸法を狭める方向に変位させることができると共に、押圧部分５ｃ、５ｃに対して周方向の一方及び他方の側に９０°離れた各部分の径方向の寸法を拡大する方向に変位させることができる。
【００３４】
この場合、筒状軸部５における押圧部分５ｃ、５ｃの内周面が基礎軸部４の外周面に達するまでは、当該筒状軸部５のみを変位させることができる。
【００３５】
従って、筒状軸部５における係止部５ａに対して周方向の一方及び他方の側に９０°離れた各部分を押圧部分５ｃ、５ｃとし、この押圧部分５ｃ、５ｃを指で押すことにより、当該係止部５ａを短縮維持ストッパ部４ａ又は伸長維持ストッパ部４ｂから離れる方向に変位させることができる。即ち、短縮状態及び伸長状態を簡単に解除することができる。
【００３６】
そして、短縮状態及び伸長状態の維持及び解除を、突起部５１、短縮維持ストッパ部４ａ、伸長維持ストッパ部４ｂ及び係止部５ａによって行うことができるので、構造が複雑になることも、短縮時にコンパクト性が失われることもない。即ち、伸縮式スプーン１は、図１（ａ）に示すように、短縮状態にすることで極めてコンパクトにすることができるので、透明袋Ｂに挿入してアイスクリーム等の容器Ａの蓋部又は底部に貼り付けることができる。
【００３７】
また、補助係止部５ｂを設けることにより、短縮状態における基礎軸部４と筒状軸部５との連結強度を高めることができるので、開封直後の硬い状態にある例えばアイスクリームに対しても、伸縮式スプーン１を短縮状態で使用することにより容易にすくい取ることが可能になる。
【００３８】
一方、突起部５１によって基礎軸部４の外周面と筒状軸部５の内周面との間に所定の隙間が生じることになるので、基礎軸部４と筒状軸部５との接触面積の低減を図ることができ、基礎軸部４に対する筒状軸部５の伸縮移動をスムーズに行うことができるという利点もある。
【００３９】
更に、基礎軸部４及び筒状軸部５が断面円形状の筒状（中空状）に形成されているので、径の４乗に比例する断面二次モーメントを得ることができ、柄部３について曲げ剛性の高いものを得ることができると共に、筒状の中空形状とすることにより軽量化、材料の節減、これによるコストの低減等を図ることができる。
【００４０】
しかも、皿部２、基礎軸部４及び筒状軸部５がプラスチックで形成されているので、所定の強度を有する低価格なものを大量に提供することができる。特に、皿部２と基礎軸部４をプラスチックにより一体化し強度の高いものを得ることができる。また、プラスチックによる大きな弾性変形に基づいて、短縮状態及び伸長状態の維持及び解除を確実に行うことができる。
【００４１】
なお、上記実施形態においては、突起部５１を筒状軸部５の内周面に形成した例を示したが、この突起部５１については、基礎軸部４の外周面における先端部及び基端部を除く部分に形成してもよい。この場合、短縮維持ストッパ部４ａ、伸長維持ストッパ部４ｂ、係止部５ａ、補助係止部５ｂについては、隣接する突起部５１の間に対応する位置に配置することが好ましい。また、突起部５１については、基礎軸部４の外周面及び筒状軸部５の内周面の双方に設けてもよい。この場合、例えば基礎軸部４の突起部５１を挟むように、筒状軸部５の突起部５１を設けることにより、基礎軸部４の軸回りに筒状軸部５が回るのを防止することができる。更に、突起部５１については、筒状軸部５の内周面や基礎軸部４の外周面において軸方向に所定の間隔をおいて所定の部位から突出するように形成したものであってもよい。
【００４２】
また、基礎軸部４及び筒状軸部５として断面円形状の筒状のものを示したが、これらの基礎軸部４及び筒状軸部５については、図４に示すように、断面が楕円形状や長円形状の筒状に形成したものであってもよい。なお、図４においては、上述した構成に対応する構成について同一の符号を付して示している。このように基礎軸部４及び筒状軸部５を楕円形状又は長円形状の筒状に形成した場合には、柄部３を皿部２に沿うような薄い形状のもので構成することができ、よりコンパクトなものを得ることができる。
【００４３】
更に、基礎軸部４及び筒状軸部５については、図５に示すように、断面が長四角形状（長方形状）の筒状に形成したものであってもよい。なお、図５においては、上述した構成に対応する構成について同一の符号を付して示している。このように基礎軸部４及び筒状軸部５の断面を長四角形状の筒状に形成した場合にも、柄部３を皿部２に沿うような薄い形状のもので構成することができ、よりコンパクトなものにすることができる。
【００４４】
更にまた、基礎軸部４及び筒状軸部５については、図示を省略するが、断面が３角形以上の多角形の筒状に形成したものであってもよい。三角形状や上記四角形状の多角形状に形成した場合は上述のようにコンパクトなものを得ることができる。また、五角形状以上の多角形状に形成した場合は、断面が円に近い形状になり、柄部３について曲げ剛性の高いものを提供することができる。
【００４５】
また、上述した説明では基礎軸部４を筒状のもので構成した例を示したが、この基礎軸部４としては、上述した種々の断面形状のもので中実状の棒状に形成したものであってもよい。基礎軸部４を中実の棒状に形成した場合には、皿部２と一体のものをプラスチックで容易に成形することができる利点がある。
【符号の説明】
【００４６】
１  伸縮式スプーン
２  皿部
３  柄部
４  基礎軸部
４ａ  短縮維持ストッパ部
４ｂ  伸長維持ストッパ部
５  筒状軸部
５ａ  係止部
５１  突起部
【図１】
2018099158.tif 000003
【図２】
2018099158.tif 000004
【図３】
2018099158.tif 000005
【図４】
2018099158.tif 000006
【図５】
2018099158.tif 000007